(57)【要約】【課題】車載装置において、消費電力を可能な限り抑制しつつも、認証処理を実現可能とすること。【解決手段】自動車に搭載され、少なくとも１つの携帯機との間で無線通信を実行した結果に基づいて、少なくとも認証処理を実行する車載装置に関する。車載装置が実行する車載機処理では、規定された送信間隔、かつ、設定された送信レベルにて、問合信号を送信する（Ｓ１１０）。そして、規定期間ｔ１以上継続して、携帯機５０からの応答信号を受信しているものとみなせる場合には（Ｓ１５０：ＹＥＳ）、問合信号の送信レベルを低下させる（Ｓ１６０）。さらに、低下された送信レベルにて問合信号を送信する（Ｓ１１０）。その問合信号に対する応答信号を受信し、さらに、規定期間ｔ１以上継続して、携帯機５０からの応答信号を受信しているものとみなせる場合には（Ｓ１５０：ＹＥＳ）、問合信号の送信レベルをさらに低下させる。【選択図】図２
2015137502.tif 000002
【特許請求の範囲】
【請求項１】
自動車に搭載され、少なくとも１つの携帯機（５０）との間で無線通信を実行した結果に基づいて、少なくとも認証処理を実行する車載装置（１０）であって、
前記携帯機の存在を確認する問合信号を、設定された送信間隔で無線通信により繰り返し送信する信号送信手段（１４，３２，Ｓ１１０）と、
前記信号送信手段からの前記問合信号を受信した携帯機が応答した応答信号を受信する応答受信手段（１２，３２，Ｓ１２０）と、
前記応答受信手段にて規定期間継続して応答信号を受信したものとみなせる場合、前記信号送信手段が送信する前記問合信号の送信レベルを低下させる送信制御手段（３２，Ｓ１４０〜Ｓ１９０）と
を備えることを特徴とする車載装置。
【請求項２】
前記送信制御手段は、
前記問合信号の送信レベルを低下させた場合、前記問合信号の送信レベルを低下させる前と消費電力が同一レベルとみなせるものとして予め規定された規定電力範囲内に維持されるように、前記送信間隔を短縮する
ことを特徴とする請求項１に記載の車載装置。
【請求項３】
前記送信制御手段は、
前記問合信号の送信レベルを低下させた場合、前記送信レベルを低下させたことを表すレベル変更履歴を記憶部（３４）に記憶する記憶制御手段（３２，Ｓ１８０）を備え、
前記記憶部にレベル変更履歴が記憶されていれば、前記規定期間よりも短い時間長である設定期間継続して前記応答受信手段にて応答信号を受信したものとみなせる場合に、前記信号送信手段からの前記問合信号の送信レベルを低下させる
ことを特徴とする請求項１または請求項２に記載の車載装置。
【発明の詳細な説明】
【技術分野】
【０００１】
本発明は、電子キーシステムを構成する車載装置に関する。
【背景技術】
【０００２】
従来、少なくとも一つの携帯機と、自動車に搭載される一つの車載装置とを備え、携帯機と車載装置との間の無線通信による情報通信の結果に基づいて認証処理を実行する電子キーシステムが知られている（特許文献１参照）。
【０００３】
この種の電子キーシステムにおける車載装置は、予め規定された送信レベルで問合信号を送信する。そして、問合信号を受信した携帯機は、当該問合信号に対して応答信号を送信する。
【先行技術文献】
【特許文献】
【０００４】
【特許文献１】特開２０１２−１７５５８号公報
【発明の概要】
【発明が解決しようとする課題】
【０００５】
また、車載装置では、自動車に搭載されたライトを点灯したり、シートポジションを移動させたりするウェルカム機能を、認証処理による認証に成功した場合に実現している。
一般的な電子キーシステムにおいては、認証処理による認証は、携帯機からの応答信号に含まれる識別情報を、車載装置に予め登録された登録ＩＤに照合することでなされる。
【０００６】
ここで、一般的な電子キーシステムにおいて、車載装置からの問合信号は、固定された送信レベルで送信される。このため、問合信号を有効に受信可能な通信範囲は、車載装置から一定の範囲となる。
【０００７】
そして、従来の電子キーシステムでは、家の駐車場に自動車を駐車し、携帯機を家の中に保管している場合であっても、車載装置からの問合信号を有効に受信可能な通信範囲に携帯機が存在していれば、その携帯機は、問合信号を受信するごとに応答信号を返答する。
【０００８】
このため、従来の電子キーシステムでは、車載装置及び携帯機の双方で、不要な電力を消費してしまうという課題が生じる。
この課題を解決するための方法として、車載装置において、携帯機からの応答信号を予め規定された規定時間継続して未受信であれば、問合信号の出力を停止する節電制御を実行することが考えられる。
【０００９】
しかしながら、車載装置において節電制御を実行した場合、自動車の所有者が自動車を運転しようとして自動車に近づいた場合であっても、車載装置から問合信号が出力されない。このため、一度節電制御の実行を開始した車載装置においては、認証処理、ひいては、ウェルカム機能を実現できないという課題が生じる。
【００１０】
つまり、従来の電子キーシステムにおいては、消費電力を可能な限り抑制しつつも、認証処理を実現可能とすることが困難であるという課題があった。
そこで、本発明では、車載装置において、消費電力を可能な限り抑制しつつも、認証処理を実現可能とすることを目的とする。
【課題を解決するための手段】
【００１１】
上記目的を達成するためになされた本発明は、自動車に搭載される車載装置であって、少なくとも１つの携帯機（５０）との間で無線通信を実行した結果に基づいて、少なくとも認証処理を実行する車載装置（１０）に関する。
【００１２】
本発明の車載装置は、信号送信手段（１４，３２，Ｓ１１０）と、応答受信手段（１２，３２，Ｓ１２０）と、送信制御手段（３２，Ｓ１３０〜Ｓ１７０）とを備える。
このうち、信号送信手段は、携帯機の存在を確認する問合信号を、設定された送信間隔で無線通信により繰り返し送信する。応答受信手段は、信号送信手段からの問合信号を受信した携帯機が応答した応答信号を受信する。
【００１３】
そして、送信制御手段は、応答受信手段にて規定期間継続して応答信号を受信したものとみなせる場合、信号送信手段が送信する問合信号の送信レベルを低下させる。
このような車載装置では、応答受信手段にて規定期間継続して応答信号を受信したものとみなせる場合、信号送信手段からの問合信号の送信レベルを低下できる。つまり、本発明の車載装置によれば、車載装置からの有効な問合信号を受信可能な範囲が狭くなるように送信レベルを変更できる。
【００１４】
よって、保管場所が変更されていない携帯機が存在する場合、送信レベルを低下させる前には車載装置からの問合信号を有効に受信可能な通信範囲に、その携帯機が存在していたとしても、送信レベルを低下させた後には、携帯機が存在する場所を、車載装置からの問合信号を有効に受信可能な通信範囲外とすることができる。
【００１５】
この結果、本発明の車載装置によれば、不要な応答信号を当該携帯機が返答することを防止でき、当該携帯機における不要な電力の消耗を低減できる。
また、本発明の車載装置によれば、問合信号の送信レベルが低下されるため、当該車載装置における不要な消費電力を低減できる。
【００１６】
さらに、本発明の車載装置においては、応答信号を未受信であっても、問合信号の送信を繰り返す。このため、携帯機において、問合信号を未受信な状態から受信可能な状態へと切り替わることがあり、切り替わった場合には、車載装置において、認証処理、ひいては、ウェルカム機能を実行することができる。
【００１７】
換言すれば、本発明の車載装置によれば、消費電力を可能な限り抑制しつつも、認証処理を実現可能とすることを達成できる。
なお、「特許請求の範囲」及び「課題を解決するための手段」の欄に記載した括弧内の符号は、一つの態様として後述する実施形態に記載の具体的手段との対応関係を示すものであって、本発明の技術的範囲を限定するものではない。
【００１８】
また、本発明は、前述した車載装置の他、自動車に搭載されるコンピュータが実行するプログラム、問合信号の送信方法等、種々の形態で実現することができる。
【図面の簡単な説明】
【００１９】
【図１】本発明が適用された車載装置を含む電子キーシステムの概略構成を示すブロック図である。
【図２】車載ＥＣＵのマイコンが実行する車載機処理の処理手順を示すフローチャートである。
【図３】送信レベルの低下について説明するグラフである。
【図４】送信間隔の短縮について説明する説明図である。
【図５】実施形態の効果を説明する説明図である。
【発明を実施するための形態】
【００２０】
以下に本発明の実施形態を図面と共に説明する。
〈電子キーシステム〉
図１に示す電子キーシステム１は、車両に搭載される１つの車載装置１０と、車両の使用者が所持する少なく１つの携帯機５０，…，５０とを備えている。そして、電子キーシステム１は、携帯機５０と車載装置１０との間での情報通信に基づく認証に成功すると、車載装置１０が各種機能を実現するシステムである。
【００２１】
ここで言う各種機能には、車両に設けられたドアのアンロック等の制御を実行する機能（いわゆるスマートエントリー機能）、携帯機５０でのボタン操作に応じてドアのロック／アンロック等の制御を実行する機能（いわゆるリモートキーレスエントリー機能）を含む。ここで言う各種機能には、自車のライトを点灯したり、携帯機５０の所有者に応じたシートポジションへとシートを調整したりするウェルカム機能を含む。
【００２２】
さらに、ここで言う各種機能には、車両に搭載された内燃機関の始動を許可する機能を含んでも良い。
すなわち、電子キーシステム１は、車両の利用者が所持する特定の携帯機５０が車両周囲の無線通信エリア内に存在し、かつ携帯機５０と車載装置１０との間の情報通信に基づく認証に成功すると、ウェルカム機能を実現する。さらに、電子キーシステム１は、認証に成功すると、ドアの解錠・施錠を許可する。
【００２３】
〈車載装置〉
車載装置１０は、ＵＨＦ受信部１２、ＬＦ送信部１４、ドアアンテナ１６、トランク内アンテナ１８、トランク外アンテナ２０、室内アンテナ２２、電子制御装置（ＥＣＵ）３２などを備えている。
【００２４】
ＬＦ送信部１４は、携帯機５０に対して無線信号を送信する。このＬＦ送信部１４から送信される無線信号は、車載ドアの各々に設けられたドアアンテナ１６（実施形態では４つ）、トランク内アンテナ１８、トランク外アンテナ２０、及び室内アンテナ２２を介して、それぞれ限られた通信エリア内に到達するようになっている。ＵＨＦ受信部１２は、携帯機５０から送信された無線信号を受信する。
【００２５】
電子制御装置３２は、記憶装置３４と、マイコン３６とを備えている。記憶装置３４は、書き換え可能な不揮発性の記憶装置である。マイコン３６は、ＲＯＭ、ＲＡＭ、ＣＰＵを少なくとも備えた周知のマイクロコンピュータである。
【００２６】
〈携帯機〉
携帯機５０は、それぞれ、ＬＦ受信部５２、ＵＨＦ通信部５４、プッシュスイッチ５６，５８、制御回路６２を備えている。
【００２７】
ＬＦ受信部５２は、車載装置１０からの無線信号を受信する。ＵＨＦ通信部５４は、車載装置１０に対して無線信号を送信する。
プッシュスイッチ５６，５８は、主にリモートキーレスエントリー機能を利用するためのトリガーとなるキーとして用意されたもので、プッシュスイッチ５６がオンされるとドアがロックされ、プッシュスイッチ５８がオンされるとドアがアンロックとなる。
【００２８】
制御回路６２は、記憶装置６４と、マイコン６６とを備えている。記憶装置６４は、書き換え可能な不揮発性の記憶装置である。マイコン６６は、ＲＯＭ、ＲＡＭ、ＣＰＵを少なくとも備えた周知のマイクロコンピュータである。
【００２９】
〈電子キーシステムの動作概要〉
このように構成された電子キーシステム１において実行されるポーリング処理について説明する。このポーリング処理は、車載装置１０の電子制御装置３２が実行する車載機処理と、各携帯機５０の制御回路６２が実行する携帯機処理とによって実現される。
【００３０】
このポーリング処理における車載機処理では、まず、車載装置１０が、ＬＦ送信部１４を介して、当該車載装置１０が搭載された車両を識別する情報（以下、「車両コード」と称す）と返答タイミングとを含む問合信号を送信する。この問合信号は、携帯機５０の存在を確認するものであり、ポーリング信号として機能する。
【００３１】
なお、返答タイミングとは、携帯機５０が携帯コードを返答するタイミングを表す情報であり、携帯機５０ごとに規定されている。
各携帯機５０は、ＬＦ受信部５２での受信強度が所定値以上である問合信号を受信すると、当該携帯機５０自身に登録されている車両コード、及び当該携帯機５０自身に登録されている返答タイミングに、車載装置１０から受信した車両コード及び返答タイミングを照合する。そして、照合の結果、一致していれば、携帯機５０は、ＵＨＦ通信部５４を介して、自身に登録されている返答タイミングに、自身に割り当てられている携帯コードを含む応答信号を送信する。
【００３２】
なお、携帯コードとは、携帯機５０を識別する識別情報であり、携帯機５０ごとに予め割り当てられている。この携帯機５０における一連の制御は、携帯機処理を実行することで実現される。
【００３３】
そして、車載機処理では、携帯機５０からの応答信号をＵＨＦ受信部１２にて受信すると、車載装置１０自身に登録されている携帯コードに、その受信した携帯コードを照合する。この照合の結果、認証に成功すると（一致する携帯コードが登録されていれば）、各種機能を実現するための制御が実行される。
【００３４】
ただし、車載機処理では、予め規定された時間長である規定期間ｔ１以上継続して、携帯機５０からの応答信号を受信しているものとみなせる場合には、問合信号の送信レベルを低下させる。
【００３５】
〈車載機処理〉
次に、車載装置１０の電子制御装置３２におけるマイコン３６が実行する車載機処理の詳細について説明する。
【００３６】
この車載機処理は、車載装置１０が搭載された自動車において、イグニッションスイッチがオフされ、かつ、ドアがロックされると起動される。
そして、車載機処理は起動されると、電子制御装置３２におけるマイコン３６は、図２に示すように、設定された送信レベルにて問合信号（いわゆるＬＦＷＡＫＥコマンド）をＬＦ送信部１４に送信させる（Ｓ１１０）。
【００３７】
続いて、マイコン３６は、携帯機５０からの応答信号を受信したか否かを判定する（Ｓ１２０）。このＳ１２０での判定の結果、応答信号を受信していなければ（Ｓ１２０：ＮＯ）、Ｓ１１０へと戻る。そのＳ１１０では、マイコン３６は、問合信号を前回送信してから、設定された送信間隔が経過すると、ＬＦ送信部１４に問合信号を再度送信させる。
【００３８】
すなわち、Ｓ１２０では、マイコン３６は、応答信号を受信するまで待機する。
そして、マイコン３６は、携帯機５０からの応答信号を受信すると（Ｓ１２０：ＹＥＳ）、その受信した応答信号に含まれる携帯コードを、車載装置１０自身に登録されている携帯コードに照合する（Ｓ１３０）。この照合の結果、一致する携帯コードが車載装置１０自身に登録されていれば（即ち、認証に成功すると）、マイコン３６は、さらに、他の条件を満たした場合に、各種機能を実現するための制御を実行する。ここで言う各種機能を実現するための制御とは、例えば、リモートキーレスエントリー機能を実現する制御や、ウェルカム機能を実現する制御である。そして、他の条件とは、リモートキーレスエントリー機能やウェルカム機能を実現する制御の開始条件であり、予め規定された条件である。
【００３９】
さらに、マイコン３６は、送信レベル変更履歴の有無を判定する（Ｓ１４０）。ここで言う送信レベル変更履歴とは、車載機処理において、問合信号の送信レベルを変更したことがあることを表す情報である。この送信レベル変更履歴は、後述するＳ１８０を実行することで記憶装置３４に格納されるものであり、特許請求の範囲におけるレベル変更履歴の一例である。
【００４０】
そして、Ｓ１４０の判定の結果、記憶装置３４に送信レベル変更履歴が格納されていなければ（Ｓ１４０：ＹＥＳ）、マイコン３６は、規定期間ｔ１以上継続して特定の携帯機５０からの応答信号を受信したものとみなせるか否かを判定する（Ｓ１５０）。
【００４１】
なお、ここで言う「継続して」とは、規定期間ｔ１に相当する問合信号の全ての送信周期において、特定の携帯機５０からの応答信号を受信したことを含む意味である。
そして、Ｓ１５０での判定の結果、規定期間ｔ１以上継続して特定の携帯機５０からの応答信号を受信したものとみなせなければ（Ｓ１５０：ＮＯ）、マイコン３６は、車載機処理をＳ１１０へと戻す。そのＳ１１０では、マイコン３６は、問合信号を前回送信してから、設定された送信間隔が経過すると、ＬＦ送信部１４に問合信号を再度送信させる。
【００４２】
一方、Ｓ１５０での判定の結果、規定期間ｔ１以上継続して特定の携帯機５０からの応答信号を受信したものとみなせれば（Ｓ１５０：ＹＥＳ）、マイコン３６は、Ｓ１６０へと車載機処理を移行させる。
【００４３】
そのＳ１６０では、マイコン３６は、ＬＦ送信部１４からの問合信号の送信レベルを再設定する。このＳ１６０における送信レベルの再設定では、Ｓ１６０へと移行した時点で設定されている送信レベルから、予め規定された規定レベルを低下させたものを、新たな送信レベルとして設定する。したがって、問合信号の送信レベル（磁界強度）は、図３に示すように、Ｓ１６０へと移行するごとに段階的に低下される。
【００４４】
続いて、車載機処理では、マイコン３６は、問合信号の送信間隔を短縮する（Ｓ１７０）。このＳ１７０では、具体的には、図４に示すように、問合信号の送信レベルを低下させる前と、車載装置１０における消費電力が同一レベルとみなせるものとして予め規定された規定電力範囲内に維持されるように、送信間隔を短縮する。例えば、送信レベルを１／２とした場合、送信間隔を１／２としても良い。
【００４５】
さらに、マイコン３６は、送信レベル変更履歴を記憶装置３４に格納する（Ｓ１８０）。
その後、マイコン３６は、車載機処理をＳ１１０へと移行させる。そのＳ１１０では、マイコン３６は、Ｓ１６０にて設定された送信レベル（即ち、低下された送信レベル）、かつ、Ｓ１７０で設定（短縮）された送信間隔にて問合信号をＬＦ送信部１４に送信させる。
【００４６】
なお、Ｓ１４０での判定の結果、記憶装置３４に送信レベル変更履歴が格納されていれば（Ｓ１４０：ＮＯ）、マイコン３６は、設定期間ｔ２以上継続して特定の携帯機５０からの応答信号を受信したものとみなせるか否かを判定する（Ｓ１９０）。ここで言う設定期間ｔ２とは、予め規定された時間長であり、規定期間ｔ１よりも短い時間長である。
【００４７】
ここで言う「継続して」とは、設定期間ｔ２に相当する問合信号の全ての送信周期において、特定の携帯機５０からの応答信号を受信したことを含む意味である。
そして、Ｓ１９０での判定の結果、設定期間ｔ２以上継続して特定の携帯機５０からの応答信号を受信したものとみなせなければ（Ｓ１９０：ＮＯ）、マイコン３６は、車載機処理をＳ１１０へと戻す。そのＳ１１０では、マイコン３６は、問合信号を前回送信してから、設定された送信間隔が経過すると、ＬＦ送信部１４に問合信号を再度送信させる。
【００４８】
一方、Ｓ１９０での判定の結果、設定期間ｔ２以上継続して特定の携帯機５０からの応答信号を受信したものとみなせれば（Ｓ１９０：ＹＥＳ）、マイコン３６は、車載機処理をＳ１６０へと移行させる。
【００４９】
このＳ１９０を経て移行したＳ１６０では、問合信号の送信レベルが低下するように再設定する。この送信レベルの再設定は、Ｓ１６０へと移行するごとに段階的に低下しても良いし、送信レベル変更履歴と対応付けられた送信レベルへと変更することで実現しても良い。後者の場合、送信レベル変更履歴には、当該送信レベル変更履歴と対応付けられた送信レベルの大きさが含まれている必要がある。
【００５０】
その後、車載機処理では、Ｓ１７０，Ｓ１８０を実行した後、Ｓ１１０へと戻る。
つまり、車載機処理では、規定された送信間隔、かつ、設定された送信レベルにて、問合信号を送信する。そして、車載機処理では、規定期間ｔ１以上継続して、携帯機５０からの応答信号を受信しているものとみなせる場合には、問合信号の送信レベルを低下させる。
【００５１】
さらに、車載機処理では、低下された送信レベルにて問合信号を送信する。そして、その問合信号に対する応答信号を受信したか否かを判定する。この判定の結果、応答信号を受信し、さらに、規定期間ｔ１以上継続して、携帯機５０からの応答信号を受信しているものとみなせる場合には、車載機処理では、図３に示すように、問合信号の送信レベルをさらに低下させる。
【００５２】
車載機処理では、携帯機５０からの応答信号を受信しなくなるまで、この一連の処理を繰り返す。
しかも、車載機処理では、送信レベルを低下させると、問合信号の送信間隔を短縮する。この送信間隔の短縮は、図４に示すように、問合信号の送信レベルを低下させる前と、車載装置１０における消費電力が同一レベルとみなせるものとして予め規定された規定電力範囲内に維持されるようになされる（例えば、送信レベルを１／２とした場合、送信間隔を１／２としても良い）。
［実施形態の効果］
本実施形態の車載機処理においては、規定期間ｔ１以上継続して、携帯機５０からの応答信号を受信しているものとみなせる場合には、問合信号の送信レベルを低下させる。このため、携帯機５０における受信強度が所定値以上となる通信範囲は、送信レベルを低下する前よりも狭くなる。
【００５３】
したがって、図５に示すように、送信レベルを低下させる前には、車載装置１０からの問合信号を所定値以上の受信強度で受信可能な通信範囲に、その携帯機５０が存在していたとしても、送信レベルを低下させた後には、車載装置からの問合信号を所定値以上の受信強度で受信可能な通信範囲外とすることができる。
【００５４】
この結果、携帯機５０が、不要な応答信号を返答することを低減でき、当該携帯機５０における不要な電力の消耗を低減できる。
また、車載装置１０においては、問合信号の送信レベルを低下するため、車載装置１０における不要な電力の消費を低減できる。
【００５５】
さらに、車載装置１０においては、携帯機５０からの応答信号を未受信であっても、問合信号の送信を繰り返す。このため、車載装置１０によれば、携帯機５０からの応答信号が未受信から受信へと切り替わった場合に、認証、ひいては、ウェルカム機能を実行できる。
【００５６】
すなわち、車載装置１０によれば、消費電力を可能な限り抑制しつつも、認証を実現可能とすることを達成できる。
ところで、車載装置１０によれば、従来の車載装置における消費電力を維持しつつも、携帯機からの応答性を向上させることができる。
【００５７】
すなわち、車載機処理において、問合信号の送信レベルを低下させた場合、携帯機５０が問合信号を受信可能な通信範囲は狭くなる。このため、車載装置１０に近づかなければ、携帯機５０は、応答信号を返答しなくなる。このような場合に、問合信号の送信間隔が長いと、受信強度が所定値以上の問合信号を受信可能な範囲に携帯機５０が入ってから、当該携帯機５０が問合信号を受信して応答信号を返答するまでに、車載装置１０が搭載された自動車に携帯機５０の所有者が到達してしまう可能性がある。そして、ウェルカム機能の実行タイミングが、携帯機５０の所有者が自動車に到達して以降となると、当該ウェルカム機能が携帯機の所有者にとって有効な機能となり得ない。
【００５８】
しかしながら、本実施形態の車載機処理においては、送信レベルを低下させた場合、問合信号の送信レベルを低下させる前と、車載装置１０における消費電力が同一レベルとみなせるものとして予め規定された規定電力範囲内に維持されるように、問合信号の送信間隔を短縮する。
【００５９】
この結果、車載装置１０によれば、従来の車載装置における消費電力を維持しつつも、携帯機からの応答性を向上させることができる。
換言すれば、車載装置１０によれば、携帯機５０の所有者が自動車に到達する前に、認証、ひいてはウェルカム機能を実行でき、そのウェルカム機能の実現を携帯機５０の所有者にとって有効なものとすることができる。
【００６０】
なお、本実施形態の車載機処理においては、記憶装置３４に送信レベル変更履歴が格納されており、かつ、設定期間ｔ２以上継続して特定の携帯機５０からの応答信号を受信したものとみなせる場合には、車載装置１０と携帯機５０との位置関係が、家の駐車場に自動車を駐車し、携帯機を家の中に保管していることを表しているものとして、問合信号の送信レベルをより早期に低下させている。
【００６１】
このように、車載装置と携帯機との位置関係が、家の駐車場に自動車を駐車し、携帯機を家の中に保管していることを表している場合、車載装置５０と携帯機５０との間で無線信号を送受信する必要性が低い。
【００６２】
このため、このような場合に問合信号の送信レベルをより早期に低下させることで、車載装置１０によれば、当該車載装置１０における不要な電力の消費をより低減できる。
［その他の実施形態］
以上、本発明の実施形態について説明したが、本発明は上記実施形態に限定されるものではなく、本発明の要旨を逸脱しない範囲において、様々な態様にて実施することが可能である。
【００６３】
例えば、上記実施形態の車載機処理では、問合信号の送信レベルを低下させた場合、Ｓ１７０において、問合信号の送信間隔を短縮していたが、本発明においては、Ｓ１７０は省略されていても良い。
【００６４】
すなわち、本発明においては、問合信号の送信レベルを低下させることだけを実現しても良い。
また、上記実施形態の車載機処理においては、Ｓ１８０にて送信レベル変更履歴を記憶装置３４に格納し、Ｓ１４０にて、送信レベル変更履歴が記憶装置３４に格納されていることを確認した場合、Ｓ１９０にて、設定期間ｔ２以上継続して特定の携帯機５０からの応答信号を受信したものとみなせるか否かを判定していた。
【００６５】
しかしながら、本発明においては、これらのＳ１４０，Ｓ１８０，Ｓ１９０は省略されていても良い。
すなわち、本発明においては、規定期間ｔ１以上継続して特定の携帯機５０からの応答信号を受信したものとみなせる場合にだけ、問合信号の送信レベルを低下させても良い。
【００６６】
なお、車載機処理おいては、起動されるごとに、問合信号の送信レベル及び送信間隔を、予め設定された初期値へと戻しても良い。また、問合信号の送信レベル及び送信間隔を初期値へと戻す条件は、スイッチ（例えば、携帯機５０のスイッチ）や機器（例えば、車載ナビゲーション装置）の操作を受け付けた場合としても良い。
【００６７】
なお、上記実施形態の構成の一部を、課題を解決できる限りにおいて省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【符号の説明】
【００６８】
１…電子キーシステム  １０…車載装置  １２…ＵＨＦ受信部  １４…ＬＦ送信部  １６，１８，２０，２２…アンテナ  ３２…電子制御装置  ３４…記憶装置  ３６…マイコン  ５０…携帯機  ５２…ＬＦ受信部  ５４…通信部  ５６，５８…プッシュスイッチ  ６２…制御回路  ６４…記憶装置  ６６…マイコン
【図１】
2015137502.tif 000003
【図２】
2015137502.tif 000004
【図３】
2015137502.tif 000005
【図４】
2015137502.tif 000006
【図５】
2015137502.tif 000007